(57)【特許請求の範囲】
【請求項１】
バーナ本体内の給排気経路中に多数の蓄熱体を充填し、蓄熱体の充填層を通してバーナ本体の後側から前方の燃焼部まで燃料供給用管体を設置するリジェネレイティブバーナにおいて、この燃料供給用管体とは別の火炎確認用管体を、少なくとも一つ、充填層を通してバーナ本体の後側からバーナ本体の先端側に設けた耐火物に形成した通気孔の近傍まで設置し、火炎確認用管体の先端と通気孔との間隔を、蓄熱体の外径よりも狭く設定することを特徴とするリジェネレイティブバーナにおける火炎確認用機構
【発明の詳細な説明】
【０００１】
【発明の属する技術分野】
本発明は、リジェネレイティブバーナにおける火炎確認用機構に関するものである。
【０００２】
【従来の技術】
リジェネレイティブバーナには、バーナ本体内の給排気経路中にセラミックボール等の細かい蓄熱体を多数充填して充填層を構成し、この充填層を通してバーナ本体の後側から前方の燃焼部まで燃料供給用管体を設置したタイプがあり、このタイプにおいて、燃料供給用管体の適所からしか火炎の確認が行えないものがある。
即ち、図４、図５はこのようなタイプのリジェネレイティブバーナの従来例を示すものである。
これらの図において符号１はバーナ本体、２はバーナ本体内の給排気経路中に多数の蓄熱体３を充填して成る充填層を示すものであり、この充填層２を通してバーナ本体１の後側から前方の燃焼部まで燃料供給用管体４を設置している。
図４のバーナでは、燃料供給用管体４は、燃料供給管５の外側同軸状に冷却空気管６を設け、冷却空気管６の先端側内部には、後壁に通気孔７を形成したカップ状保炎器８を設けると共に、冷却空気管６を通してカップ状保温器８までパイロットバーナやスパークロッド等の着火装置９を設けている。そして、燃料供給用管体４の後端側には、冷却空気管６と燃料供給管５間の隙間１０を通して上記通気孔７からカップ状保炎器８内の火炎を確認するための覗き窓１１や火炎検出器取付用筒体等を設置している。尚、符号１２はバーナ先端に設けた耐火物であり、この耐火物１２には適宜通気孔（図示省略）を設けている。
また図５のバーナでは、燃料供給用管体４には、冷却空気管６を構成しておらず、燃料供給管５の後側に覗き窓１１等を構成している。
尚、図４、図５のバーナにおいて、同様な構成要素には同一の符号を付して重複する説明は省略する。
以上の図４、図５のバーナにおいて、火炎の確認は、覗き窓１１等を通しての目視や紫外線火炎検出器を設置して行っている。
【０００３】
【発明が解決しようとする課題】
上述したような火炎確認機構では、次のような課題がある。
（１）  冷却空気管に覗き窓と火炎検出器の両者を設置する場合、それらを接続するための管体の口径は、一般的に１／４Ｂ程度が必要であるという制約上、冷却空気管と燃料供給管との間に所定の隙間が必要となり、バーナが大型化してしまう。
（２）  燃料供給管の後側に覗き窓や火炎検出器を設置する場合には、ガス漏洩の恐れがあることと、覗き窓と火炎検出器の双方を設置することが難しい。
従って本発明は、このような課題を解決することを目的とするものである。
【０００４】
【課題を解決するための手段】
上述した課題を解決するために本発明では、バーナ本体内の給排気経路中に多数の蓄熱体を充填し、蓄熱体の充填層を通してバーナ本体の後側から前方の燃焼部まで燃料供給用管体を設置するリジェネレイティブバーナにおいて、この燃料供給用管体とは別の火炎確認用管体を、少なくとも一つ、充填層を通してバーナ本体の後側からバーナ本体の先端側に設けた耐火物に形成した通気孔の近傍まで設置し、火炎確認用管体の先端と通気孔との間隔を、蓄熱体の外径よりも狭く設定するジェネレイティブバーナにおける火炎確認用機構を提案する。
【０００５】
本発明によれば、火炎を目視したり、火炎検出器を接続するための火炎確認用管体は燃料供給用管体とは別に設置するので、燃料供給用管体は、火炎観察用の機能を考慮せずに構成することができ、また覗き窓に利用する管体と、火炎検出器接続用の管体を双方構成して、同時に機能させることができる。
このため、燃料供給用管体が冷却空気管を有する構成の場合には、燃料供給管と冷却空気管との間の隙間を狭くすることができ、バーナの小型化を図れると共に、冷却空気流速が上がり、冷却効果が向上する。
また、燃料供給用管体が冷却空気管を有しない構成の場合には、燃料供給管に覗き窓や火炎検出器を設置する必要がなくなり、ガス漏れの恐れが改善されると共に、覗き窓と火炎検出器の双方の設置ができないという不都合がなくなる。
【０００６】
【発明の実施の形態】
次に本発明の実施の形態を図を参照して説明する。
図１は本発明を説明するためのリジェネレイティブバーナの縦断面図であり、このバーナでは、燃料供給用管体４は、図５に示す従来例と同様に、燃料供給用管体４には冷却空気管を構成していない。従って図５に示す従来例と同様な構成要素には同一の符号を付して重複する説明は省略する。
即ち、このリジェネレイティブバーナでは、燃料供給用管体４とは別の火炎確認用管体１３を、蓄熱体３の蓄熱層２を通してバーナ本体１の後側から前方の火炎対向個所１４、この場合、燃料供給用管体６の先端側に設けたカップ状保炎器７の後壁に形成した通気孔７の近傍まで設置している。そして火炎確認用管体１３の後端には覗き窓１１を構成している。
この構成により、作業員は覗き窓１１から火炎確認用管体１３を通し、通気孔７からカップ状保炎器７内を目視することができ、これにより火炎の存在を確認することができる。
また火炎確認用管体１３には覗き窓１１に代えて火炎検出器（図示省略）を接続すれば、この火炎検出器により火炎の自動検出が可能となる。
また火炎確認用管体１３は覗き窓１１用のものと火炎検出器接続用のものの双方を設けて、目視と火炎の自動検出を同時に行えるようにすることもできる。
【０００７】
次に図２は本発明を適用したリジェネレイティブバーナの実施の形態を示すものであり、この実施の形態においても燃料供給用管体４は、図１のリジェネレイティブバーナと同様に燃料供給用管体４には冷却空気管を構成していない。従って図５及び図１に示す構成要素と同様な構成要素には同一の符号を付して重複する説明は省略する。
即ち、この実施の形態では、燃料供給用管体４とは別の火炎確認用管体１３を、蓄熱体３の蓄熱層２を通してバーナ本体１の後側から前方の火炎対向個所１４、この場合、バーナ本体１の先端側に設けた耐火物１２に形成した通気孔１５の近傍まで設置している。そして火炎確認用管体１３の後端には覗き窓１１を構成している。
この構成により、作業員は覗き窓１１から火炎確認用管体１３を通し、通気孔１５から耐火物１２の下流側を目視することができ、これにより火炎の存在を確認することができる。
図３は、図２の円で囲んだ個所Ａの拡大図であり、この図に示すように火炎確認用管体１３の先端と通気孔１４との間隔を、蓄熱体３の外径よりも狭く設定しているので、通気孔１４を通しての蓄熱体３の落下を防止することができる。
この実施の形態においても、火炎確認用管体１３には覗き窓１１に代えて火炎検出器（図示省略）を接続すれば、この火炎検出器により火炎の自動検出が可能となり、また火炎確認用管体１３は覗き窓１１用のものと火炎検出器接続用のものの双方を設けて、目視と火炎の自動検出を同時に行えるようにすることもできる。
【０００８】
以上に説明した第１、第２の実施の形態では、いずれも燃料供給用管体４には冷却空気管を構成していないのであるが、他の実施の形態として、燃料供給用管体４は、図４に示す従来例と同様に、燃料供給用管体４は、燃料供給管５の外側同軸状に冷却空気管６を設けた構成とすることもできる。
この場合には、上述したとおり、燃料供給管と冷却空気管との間の隙間を狭くすることができ、バーナの小型化を図れると共に、冷却空気流速が上がり、冷却効果が向上する。
【０００９】
【発明の効果】
本発明は以上のとおりであるので、次のような効果がある。
ａ．火炎を目視したり、火炎検出器を接続するための火炎確認用管体は燃料供給用管体とは別に設置するので、燃料供給用管体は、火炎観察用の機能を考慮せずに構成することができ、また覗き窓に利用する管体と、火炎検出器接続用の管体を双方構成して、同時に機能させることができる。
ｂ．燃料供給用管体が冷却空気管を有する構成の場合には、燃料供給管と冷却空気管との間の隙間を狭くすることができ、バーナの小型化を図れると共に、冷却空気流速が上がり、冷却効果が向上する。
ｃ．燃料供給用管体が冷却空気管を有しない構成の場合には、燃料供給管に覗き窓や火炎検出器を設置する必要がなくなり、ガス漏れの恐れが改善されると共に、覗き窓と火炎検出器の双方の設置ができないという不都合がなくなる。
【図面の簡単な説明】
【図１】  本発明を説明するためのリジェネレイティブバーナの実施の形態を示す縦断面図である。
【図２】  本発明を適用したリジェネレイティブバーナの実施の形態を示す縦断面図である。
【図３】  図２の円で囲んだ個所Ａの拡大図である。
【図４】  火炎確認用機構を構成したリジェネレイティブバーナの従来例を示す縦断面図である。
【図５】  火炎確認用機構を構成したリジェネレイティブバーナの他の従来例を示す縦断面図である。
【符号の説明】
１                    バーナ本体
２                    充填層
３                    蓄熱体
４                    燃料供給用管体
５                    燃料供給管
６                    冷却空気管
７                    通気孔
８                    カップ状保炎器
９                    着火装置
１０                  隙間
１１                  覗き窓
１２                  耐火物
１３                  火炎確認用管体
１４                  火炎対向個所
１５                  通気孔
【図１】
0004076301.tif 000002
【図２】
0004076301.tif 000003
【図３】
0004076301.tif 000004
【図４】
0004076301.tif 000005
【図５】
0004076301.tif 000006